(57)【要約】      （修正有）【課題】購入提案を生成するシステム及び方法を提供する。【解決手段】方法は、ビークルの位置を伝達する出力信号を生成するステップ３０４Ａと、ビークル乗員の関心情報を伝達する外部資源の出力信号を受信して決定するステップ３０６Ａと、出力信号に基づきビークルの位置を決定するステップ３０８Ａと、位置及びビークルインフラ間通信に基づき、近隣の１以上の事業者の事業者情報を決定するステップ３１０Ａと、１以上の事業者プロファイルを構築するステップ３１２Ａと、１以上の購入プロファイルを構築するステップ３１４Ａと、１以上の事業者プロファイル及び／又は購入プロファイルを電子記憶装置内に保存するステップ３１６Ａと、を含む。保存した１以上の事業者プロファイル、ドライバの購入プロファイル、及び／又は、位置情報に基づいて、ドライバに対する購入提案を決定し、ユーザインターフェースを介して提示する。【選択図】図３Ａ
2020115324.tif 000002
【特許請求の範囲】
【請求項１】
購入提案を生成するように構成されたビークルのシステムであって、
前記ビークルの乗員に購入提案を提示するように構成されたユーザインターフェースと、
前記ビークルの位置を伝達する出力信号を生成するように構成されたＧＰＳセンサと、
１つ又は複数の事業者プロファイル及び購入プロファイルを保存するように構成された電子記憶装置と、
プロセッサであって、機械可読命令により、
少なくとも外部資源の受信した出力信号を使用して、前記乗員の関心情報を決定することであって、前記関心情報は、前記乗員が購入に関心を持つ可能性のある製品の種類、サービスの種類、製品、又はサービスを識別するものである、前記関心情報を決定することと、
少なくとも前記出力信号を使用して、前記ビークルの位置を決定することと、
少なくとも前記ビークルの位置及びビークルインフラ間（Ｖ２Ｉ）通信を使用して、近隣の事業者の事業者情報を決定することと、
前記事業者情報を含む事業者プロファイルを構築することと、
前記関心情報を含む購入プロファイルを構築することと、
少なくとも前記事業者プロファイル、前記購入プロファイル、及び前記位置を使用して、前記乗員に対する購入提案を決定することと、
前記ユーザインターフェースを介して、前記購入提案を前記乗員に提示することと、
を実行するように構成されたプロセッサと、
を備えるシステム。
【請求項２】
前記システムは、前記事業者に関する画像情報を伝達する出力信号を生成するように構成された撮像センサをさらに備え、前記撮像センサは、画像情報を伝達する前記出力信号をクラウドサーバに送信し、前記クラウドサーバは、前記事業者に関する店舗情報を決定するように構成される、請求項１に記載のシステム。
【請求項３】
前記店舗情報は、事業者名、営業時間、販売促進、及び／又は、受領可能な支払いフォームを含む、請求項２に記載のシステム。
【請求項４】
前記プロセッサは、
前記店舗情報を決定することと、
前記ユーザインターフェースを介して、前記事業者の前記店舗情報を前記乗員に提示することと、
前記事業者プロファイルの前記店舗情報の追加と更新とのうちの一方又は両方を実施することと、
のうちの少なくとも１つを実行するようにさらに構成される、請求項２に記載のシステム。
【請求項５】
前記位置の情報は前記ビークルのＧＰＳ座標を含む、請求項１に記載のシステム。
【請求項６】
前記事業者情報は、商品の在庫データ、広告、積極的販売促進、及び現在価格のうちの少なくとも１つを含む、請求項１に記載のシステム。
【請求項７】
前記関心情報は、前記乗員の購入嗜好、購入履歴、又は所望の購入を含む、請求項１に記載のシステム。
【請求項８】
前記購入提案は、近隣の事業者における商品の広告、購入のリマインダ、又は現在在庫を含む、請求項１に記載のシステム。
【請求項９】
購入提案を生成する方法であって、
ビークルの位置を伝達する出力信号を生成することと、
前記ビークルの乗員の関心情報を伝達する外部資源の出力信号を受信することであって、前記関心情報は、前記乗員が購入に関心を持つ可能性のある製品の種類、サービスの種類、製品、又はサービスを識別するものである、前記関心情報を決定することと、
少なくとも、生成された前記出力信号を使用して、前記ビークルの位置を決定することと、
少なくとも、決定された前記ビークルの位置及びビークルインフラ間（Ｖ２Ｉ）通信を使用して、近隣の事業者の事業者情報を決定することと、
前記事業者情報を含む事業者プロファイルを構築することと、
前記関心情報を含む購入プロファイルを構築することと、
前記事業者プロファイル及び前記購入プロファイルを電子記憶装置内に保存することと、
少なくとも、保存された前記事業者プロファイル、保存された前記購入プロファイル、及び決定された前記位置を使用して、前記乗員に対する購入提案を決定することと、
ユーザインターフェースを介して前記乗員に前記購入提案を提示することと、
を含む方法。
【請求項１０】
前記事業者に関する画像情報を伝達する出力信号を生成することをさらに含み、前記画像情報は、クラウドサーバに送信され、前記クラウドサーバは、前記事業者に関する店舗情報を決定し、
さらに、
前記店舗情報を決定することと、
前記ユーザインターフェースを介して、前記事業者の前記店舗情報を前記乗員に提示することと、
前記事業者プロファイルの前記店舗情報の追加と更新とのうちの一方又は両方を実施することと、
のうちの少なくとも１つを含む、請求項９に記載の方法。
【請求項１１】
前記位置は前記ビークルのＧＰＳ座標を含む、請求項９に記載の方法。
【請求項１２】
前記事業者情報は、商品の在庫データ、広告、積極的販売促進、及び現在価格を含む、請求項９に記載の方法。
【請求項１３】
前記関心情報は、前記乗員の購入嗜好、購入履歴、又は所望の購入を含む、請求項９に記載の方法。
【請求項１４】
前記購入提案は、近隣の事業者における商品の広告、購入のリマインダ、又は現在在庫を含む、請求項９に記載の方法。
【請求項１５】
前記店舗情報は、事業者名、営業時間、販売促進、又は受領可能な支払いフォームを含む、請求項９に記載の方法。
【発明の詳細な説明】
【背景技術】
【０００１】
背景
消費者には、関心のある製品を購入するのに最適な近隣の場所を検索するのに多くの時間を費やす傾向がある。消費者が検索するときには、営業時間、在庫、販売促進をはじめとする事業者又はビジネスの情報に出くわすことがあるが、情報が古くなっているおそれがある。さらに、消費者は、購入の機会がある地域にいるのに、製品を必要としていることを忘れるおそれがある。
【発明の概要】
【０００２】
実施形態の簡単な説明
本開示の一態様は、ビークル（車両、乗物、輸送機関）の現在位置と事業者に関する最新情報とに基づいて、ビークル乗員に対し購入提案を生成するように構成されたシステムに関する。このシステムは、機械可読命令によって構成された１つ又は複数（１以上）のハードウェアプロセッサを備えてもよい。このシステムは、ユーザインターフェースにより、ビークル乗員とビークルシステムとの間のインターフェースを提供して、ビークル乗員に購入提案を提示するように構成されてもよい。センサ（１又は複数）を、ビークルの位置情報を伝達する出力信号を生成するように構成してもよい。プロセッサ（１又は複数）は、外部資源のデータ分析の出力信号に基づいて、ビークル乗員の関心情報を決定するように構成されてもよい。関心情報は、ビークル乗員が潜在的に購入する可能性のある製品を示してもよい。プロセッサ（１又は複数）は、出力信号に基づいて、ビークルの位置情報を決定するように構成されてもよい。プロセッサ（１又は複数）は、位置情報及び／又はビークルインフラ間（Ｖ２Ｉ）通信に基づいて、近隣の１つ又は複数の事業者の事業者情報を決定するように構成されてもよい。事業者情報は、事業者が顧客に知ってほしいことを含んでもよい。プロセッサ（１又は複数）は、１つもしくは複数の事業者プロファイル及び／又は１つもしくは複数の購入プロファイルを構築し、電子記憶装置に保存するように構成されてもよい。１つ又は複数の事業者プロファイルは事業者情報を含んでもよい。１つ又は複数の購入プロファイルはビークルの乗員の関心情報を含んでもよい。プロセッサ（１又は複数）は、１つ又は複数の事業者プロファイル、ビークル乗員の購入プロファイル、及び／又は、位置情報に基づいて、購入提案を決定し、ユーザインターフェースを介してビークル乗員に提示するように構成されてもよい。センサ（１又は複数）は、事業者の店舗に表示される情報を示す画像情報を伝達する出力信号を生成するように構成されてもよい。プロセッサ（１又は複数）は、画像情報に基づいて、店舗情報を決定し、ユーザインターフェースを介してビークル乗員に提示してもよい。また、店舗情報は、追加もしくは更新され、及び／又は、電子記憶装置内の事業者プロファイルに保存されてもよい。
【０００３】
「決定する」という用語（及びその派生語）は、本開示にて使用する場合、測定、計算、演算、推定、近似、生成、及び／もしくは導出、並びに／又は、これらの任意の組み合わせを含んでもよい。
【０００４】
本開示の別の態様は、ビークルの現在位置と事業者に関する最新情報とに基づいて、ビークル乗員への購入提案を生成する方法に関する。この方法は、ユーザインターフェースにより、ビークル乗員とビークルシステムとの間のインターフェースを提供して、ビークル乗員に購入提案を提示することを含んでもよい。この方法は、ビークルの位置情報を伝達する出力信号を生成することを含んでもよい。この方法は、外部資源のデータ分析の出力信号に基づいて、ビークル乗員の関心情報を決定することを含んでもよい。関心情報は、ビークル乗員が潜在的に購入する可能性があるものを示してもよい。この方法は、出力信号に基づいて、位置情報を決定することを含んでもよい。この方法は、位置情報及び／又はＶ２Ｉ通信に基づいて、近隣の１つ又は複数の事業者の事業者情報を決定することを含んでもよい。事業者情報は、事業者が顧客に知ってほしいことを含んでもよい。この方法は、１つ又は複数の事業者プロファイルを構築し、電子記憶装置内に保存して、事業者情報と購入プロファイルとのうちの一方又は両方を含めることを含んでもよい。１つ又は複数の事業者プロファイルは事業者情報を含んでもよい。１つ又は複数の購入プロファイルはビークル乗員の関心情報を含んでもよい。この方法は、１つ又は複数の事業者プロファイル、ビークル乗員の購入プロファイル、及び／又は、位置情報に基づいて、ビークル乗員に対する購入提案を決定して提示することを含んでもよい。また、この方法は、事業者の店舗に表示される情報を示す画像情報を伝達する出力信号を生成して決定することを含んでもよい。また、この方法は、店舗情報を追加もしくは更新し、及び／又は、電子記憶装置内の事業者プロファイルに保存することを含んでもよい。
【０００５】
ここに挙げた特徴をはじめとする特徴及び本技術の特性のほか、構造の関連要素を動作させ機能させる方法と、製造の部品と経費の組み合わせとは、いずれもが本開示の一部を形成する添付図面を参照して以下の説明と添付の特許請求の範囲を考慮すると、さらに明らかになるであろう。ここで、類似する参照番号はさまざまな図において対応する部品を示す。しかし、図面は、例示及び説明のみを目的とするものであり、本発明の制限の定義として意図されていないことを明確に理解されたい。明細書及び特許請求の範囲で使用されているように、「ａ」、「ａｎ」及び「ｔｈｅ」の単数形には、文脈で明確に指示されていない限り、複数の指示対象が含まれる。
【図面の簡単な説明】
【０００６】
【図１】開示された技術の実施例が実施され得る例示的なビークルを示す図。
【０００７】
【図２】１つ又は複数の実施形態による、購入提案を生成するように構成されたシステムを示す図。
【０００８】
【図３Ａ】１つ又は複数の実施形態による、購入提案を生成する方法を示す図。
【０００９】
【図３Ｂ】１つ又は複数の実施形態による、例示的な実施形態を示す図。
【００１０】
【図４】１つ又は複数の実施形態による、例示的な実施形態を示す図。
【発明を実施するための形態】
【００１１】
実施形態の詳細な説明
本開示の実施形態は、ビークルの乗員の製品に対するニーズ及び要望を満たす可能性のある事業者の近傍にビークルがある間に、ビークルの乗員に対する購入提案を生成することに向けられている。システムは、乗員に関連する検索履歴、過去の購入などの分析から、必要であるか望ましい製品／サービスを決定又は判定してもよい。システムは、分析に基づいて、ユーザインターフェースを介して、乗員が購入に関心を持っている可能性のある製品又はサービスを予測して提案してもよい。
【００１２】
本開示の実施形態は、事業者の店舗又は店頭に表示される有用な情報をビークル乗員に提示することにさらに向けられている。システムは画像情報を取得し、認識可能な文字に変換してもよい。認識可能な文字は、ビークル乗員が利用するためのユーザインターフェースを介して表示されてもよい。ビークル乗員及び事業者に関する情報を含む全取得情報を、電子記憶装置内のそれぞれのビークル乗員プロファイル又は事業者プロファイルに保存してもよい。
【００１３】
図１は、開示された技術の実施例を実施して、ビークルの乗員（例えば、ドライバ又は同乗者）に購入提案を提供し得る、例示的なビークル１００を示す。本開示にて説明される実施形態が図１に示すビークルタイプに限定されず、本開示にて説明される実施形態が、本開示にて説明される実施形態による購入提案を生成するのに必要なコンポーネントを有する任意のビークルにて実施されてもよい、ことを理解されたい。
【００１４】
ビークル１００は、動力源として、内燃エンジン１１０と１つ又は複数の（発電機としても機能し得る）電動モータ１０６とを備えてもよい。内燃エンジン１１０及びモータ１０６によって生成された駆動力を、トルクコンバータ１６、変速機１８、差動歯車装置２８及び一対の車軸３０を介して１つ又は複数の車輪３４に伝達することができる。
【００１５】
ビークル１００は、進行用又は走行用の駆動源としてのエンジン１１０及びモータ１０６（１又は複数）のいずれか又は両方によって運転／動力供給されてもよい。例えば、第１の進行モードは、進行用の駆動源として内燃エンジン１１０のみを使用する、エンジンのみ進行モードであってもよい。第２の進行モードは、進行用の駆動源としてモータ１０６（１又は複数）のみを使用する、ＥＶ進行モードであってもよい。第３の進行モードは、進行用の駆動源としてエンジン１１０及びモータ（１又は複数）１０６を使用する、ＨＥＶ進行モードであってもよい。
【００１６】
エンジン１１０は、火花点火（ＳＩ）エンジン（例えば、ガソリンエンジン）、圧縮点火（Ｃｌ）エンジン（例えば、ディーゼルエンジン）、あるいは動力を供給するために燃料が噴射され燃焼される、類似の動力エンジン（往復式か、ロータリ式か、連続燃焼式か、又はその他の形式かにかかわらない）のような、内燃エンジンであってもよい。例えば、エンジン１１０から過剰な熱を除去することによりエンジンを冷却する冷却システム１１２を設けることができる。例えば、冷却システム１１２は、ラジエータ、ウォータポンプ及び一連の冷却チャネルを含むように実施することができる。
【００１７】
エンジン１１０の駆動（出力トルク）を制御するために、出力制御回路１４Ａを設けてもよい。出力制御回路１４Ａは、燃料噴射を制御する電子スロットルバルブ、点火タイミングを制御する点火装置、などを制御するスロットルアクチュエータを備えてもよい。出力制御回路１４Ａは、以下に記載する電子制御ユニット５０から供給されるコマンド制御信号（１又は複数）に従ってエンジン１１０の出力制御を実施してもよい。そのような出力制御は、例えば、スロットル制御、燃料噴射制御及び点火時期制御を含むことができる。
【００１８】
また、モータ１０６を、ビークル１００に動力を供給するのに使用することができ、モータ１０６にはバッテリ１０４を介して電力供給される。バッテリ１０４は、１つ又は複数のバッテリ、あるいは、例えば、鉛酸電池、リチウムイオン電池、容量性蓄電装置などを含む他の蓄電装置として実施されてもよい。バッテリ１０４は、内燃エンジン１１０からエネルギを受け取るバッテリ充電器１０８によって充電されてもよい。例えば、内燃エンジン１１０の動作の結果として電流を生成するために、オルタネータ又は発電機を、内燃エンジン１１０の駆動軸に直接的に又は間接的に結合してもよい。バッテリ充電器１０８をオン／オフするためにクラッチを設けることができる。また、バッテリ１０４は、例えば、モータ１０６が発電機として動作している間の回生制動又は惰性進行などにより、モータ１０６によって充電されてもよい。
【００１９】
モータ１０６には、ビークルを移動させビークル速度を調整するための原動力を生成するために、バッテリ１０４によって電力を供給することができる。また、モータ１０６は、例えば、惰性進行時又は制動時などに電力を生成する発電機として機能することができる。また、バッテリ１０４は、ビークル内の他の電気システム又は電子システムに電力を供給するために使用されてもよい。モータ１０６は、インバータ４２を介してバッテリ１０４に接続されてもよい。バッテリ１０４は、例えば、１つ又は複数のバッテリ、容量性保存ユニット、あるいはモータ１０６に動力を供給するのに使用可能な電気エネルギを保存するのに適した他の貯蔵器を含むことができる。バッテリ１０４が１つ又は複数のバッテリを使用して実施される場合、バッテリは、例えば、ニッケル金属水素電池、リチウムイオン電池、鉛酸電池、ニッケルカドミウム電池、リチウムイオンポリマ電池をはじめとする各種の電池を含むことができる。
【００２０】
（以下で説明する）電子制御ユニット５０を備えて、ビークルの電気駆動部品のほか、他のビークル部品を制御してもよい。例えば、電子制御ユニット５０は、インバータ４２を制御し、モータ１０６に供給される駆動電流を調整し、惰性進行中及び制動中にモータ１０６から受け取る電流を調整してもよい。さらに具体的な例として、モータ１０６の出力トルクを、インバータ４２を介し電子制御ユニット５０によって増減させることができる。
【００２１】
エンジン１１０及びモータ１０６から変速機１８への電力の付与を制御するために、トルクコンバータ１６を備えることができる。他の実施例では、トルクコンバータ１６の代わりに機械式クラッチを使用することができる。
【００２２】
エンジン１１０とビークルの駆動系との間の係合と係合解除を実施するために、クラッチ１５を設けることができる。図示された例では、エンジン１１０の出力部材であるクランクシャフト３２を、クラッチ１５を介してモータ１０６及びトルクコンバータ１６に選択的に結合してもよい。クラッチ１５を、例えば、油圧アクチュエータなどのアクチュエータによって係合が制御される多重ディスク式油圧摩擦係合装置として実施することができる。クラッチ１５は、その係合状態が、クラッチに付与される圧力に応じて、完全な係合、スリップ係合、及び完全な係合解除となるように制御されてもよい。
【００２３】
ビークル１００は、センサ（１又は複数）１１８と、電子制御ユニット５０、ユーザインターフェース１２０及び／又は他のコンポーネント（ユーザインターフェース１２０と他のコンポーネントとのうちの一方又は両方）を備えてもよい。
【００２４】
電子制御ユニット５０は、ビークルの動作のさまざまな態様を制御する回路を備えてもよい。電子制御ユニット５０は、例えば、１つ又は複数の処理ユニット（例えば、マイクロプロセッサ）、メモリ記憶装置（例えば、ＲＡＭ、ＲＯＭなど）及びＩ／Ｏデバイスを備えるマイクロコンピュータを備えてもよい。電子制御ユニット５０の処理ユニットは、メモリに保存された命令を実行して、ビークルの１つ又は複数の電気システム又はサブシステムを制御する。電子制御ユニット５０は、例えば、電子エンジン制御部品、パワートレイン制御部品、変速機制御部品、サスペンション制御部品、ボディ制御部品などの複数の電子制御ユニットを備えることができる。このようなさまざまな制御ユニットを、２つ以上の個別の電子制御ユニットを使用するか、単一の電子制御ユニットを使用して実施することができる。
【００２５】
また、電子制御ユニット５０は、図２によりさらに詳細に示す購入提案コンポーネント１０２を備える。以下でさらに説明するように、購入提案コンポーネント１０２は、他の収集された情報に加えて、複数のセンサによって提供される情報を使用して、ビークルの乗員に購入提案を提供するように構成される。
【００２６】
図１に示す例では、電子制御ユニット５０は、ビークル１００に含まれる複数のセンサ１１８から情報を受信する。個々のセンサは情報を取得するように構成されてもよく、これらの情報は、視覚情報、ビデオ情報、音声情報、地理位置情報、方位情報及び／もしくは運動情報、深度情報、並びに／又は、他の情報を含み、しかしながらこれらに限定されない。いくつかの実施例では、１つ又は複数のセンサ１１８は、電子制御ユニット５０に提供されうる追加情報の結果を計算する、独自の処理能力を備えてもよい。他の実施例では、１つ又は複数のセンサは、生データのみを電子制御ユニット５０に提供するデータ収集専用センサであってもよい。更なる実施例では、生データと処理されたデータの組み合わせを電子制御ユニット５０に提供するハイブリッドセンサを備えてもよい。センサ１１８は、アナログ出力又はデジタル出力を提供してもよい。
【００２７】
センサ１１８は、ＧＰＳセンサ１１８Ａを含んでもよく、ＧＰＳセンサ１１８Ａは、緯度、経度、及び／又は高度のような、ビークルの位置情報を伝達する出力信号を生成するように構成されてもよい。位置情報は、ビークルの現在位置のＧＰＳ座標及び／又は他の表示を含んでもよい。
【００２８】
また、センサ１１８は、撮像センサ（１又は複数）１１８Ｂ（例えば、ビークル外に取り付けられたカメラの画像センサ）を備えてもよく、撮像カメラ１１８Ｂは、１つ又は複数の事業者の近くを進行中のビークルによって取得された画像情報を伝達する出力信号を生成するように構成されてもよい。画像情報は、ビークル外の店舗の、取得された画像及び／又は動画を含んでもよい。本開示で使用する場合、「カメラ」及び／又は「撮像センサ」という用語は、任意の画像取得装置を含んでよく、これは、単レンズのカメラ、カメラアレイ、固体カメラ、機械式カメラ、デジタルカメラ、深度センサ、リモートセンサ、ライダー（ｌｉｄａｒ）、赤外線センサ、（モノクロ）相補型金属酸化物半導体（ＣＭＯＳ）センサ、能動画素センサ、及び／又は、他のセンサを含み、しかしながらこれらに限定されない。
【００２９】
各センサによって取得された情報に、マークを付け、タイムスタンプを付け、注釈を付け、及び／又は、処理してもよく、これにより、他のセンサによって取得された情報をこの情報と同期し、整列し、注釈付けし、及び／又は、関連付けることができる。例えば、画像センサによって取得された画像情報を、加速度計又は他のセンサによって取得された情報と同期させてもよい。個々の画像センサによって生成された出力信号（及び／又は、このような出力信号に基づく情報）を、電子ファイルに保存し及び／又は転送してもよい。
【００３０】
また、Ｖ２Ｉ通信を電子制御ユニット５０とインフラストラクチャとの間で実施して、ビークルに近接する事業者の事業者情報を取得してもよい。
【００３１】
ユーザインターフェース１２０は、ビークル乗員とビークルシステムとの間のインターフェースを視覚的及び／又は聴覚的に提供して、ビークル乗員に購入提案を提示するように構成されてもよい。さらに、ユーザインターフェース１２０は、近隣の事業者の、決定された店舗情報を乗員に提示するように構成されてもよい。購入提案は、例えば、車内エンタテインメント又はビークル内インフォテインメント表示システムに表示されてもよい。音声提示の場合、例えば、ビークルのスピーカシステムを使用して購入提案を提示してもよい。
【００３２】
図２は、１つ又は複数の実施形態による購入提案コンポーネント１０２の例示的なコンポーネントを示すブロック図である。購入提案コンポーネント１０２は機械可読命令１２４によって構成されてもよい。機械可読命令１２４は１つ又は複数の命令コンポーネントを含んでもよい。命令コンポーネントはコンピュータプログラムコンポーネントを含んでもよい。命令コンポーネントは、関心情報決定コンポーネント１２６、位置情報決定コンポーネント１２８、事業者情報決定コンポーネント１３０、プロファイル管理コンポーネント１３２、購入提案決定コンポーネント１３４、店舗情報決定コンポーネント１３６、及び／又は、他の命令コンポーネントのうちの１つ又は複数を含んでもよい。
【００３３】
関心情報決定コンポーネント１２６は、外部資源１４２からの出力信号に基づいて、ビークルの乗員（例えば、ドライバ）の関心情報を決定するように構成されてもよい。外部資源１４２は、例えば、ビークル乗員に関連付けられたアカウントへのアクセスを提供するいくつかのサービスを含んでもよい。例えば、このサービスは、ソーシャルメディアアカウント、ショッピングアカウント、検索エンジンアカウント、銀行口座など、へのアクセスを提供してもよい。関心情報決定コンポーネント１２６は、ビークルのネットワークインターフェース（例えば、セルラ方式、Ｗｉ−Ｆｉ（登録商標）、衛星など）を使用して、又は、ビークルと通信する二次デバイス（例えば、スマートフォン）のネットワークインターフェースを介して、外部資源１４２と通信してもよい。いくつかの実施形態では、ビークルの乗員（例えば、ドライバ）は、関心情報にアクセスする各アカウントの認証情報を入力してもよい。
【００３４】
関心情報は、ビークルの乗員が購入に関心を持っている製品、サービス、製品タイプ、又はサービスタイプ、の識別情報を提供してもよい。識別情報には、ビークルの乗員（例えば、ドライバ）の購入の嗜好、製品もしくはサービスの購入履歴、又は、所望の製品もしくはサービスが含まれてもよい。外部資源１４２から通信される関心情報は、複数のオンラインショッピングの欲しいものリスト、（例えば、検索エンジンアカウントデータに基づく）ブラウザ検索履歴、（例えば、クレジットカードアカウントデータもしくはショッピングアカウントデータに基づく）過去の購入、（例えば、ショッピングアカウントデータに基づく）ショッピングリスト、及び、ユーザが購入したものもしくは今後購入する可能性のあるものを示す他の情報、のデータ分析を含んでもよい。ビークル乗員の関心情報は、電子記憶装置１４４の対応する購入プロファイルに追加され、更新され、又は、保存されてもよい。
【００３５】
例として、関心情報決定コンポーネント１２６は、ドライバが粉末状プロテインの購入に関心があるかもしれないと決定してもよい。この決定は、ドライバの検索履歴であって、ドライバの検索エンジンアカウントから収集され、最良のブランドを探し、商品をオンラインショッピングのカートに入れ、しかしながら当該商品を購入しない、検索履歴に基づいてもよい。この関心情報を、ドライバの位置情報及びＶ２Ｉ通信と組み合わせて使用して、ドライバが興味を持つ可能性のある粉末状プロテインを販売している近隣の事業者を決定してもよい。
【００３６】
位置情報決定コンポーネント１２８は、ＧＰＳセンサ１１８Ａの出力信号に基づいて、ビークルの位置情報（例えば、緯度及び経度）を決定するように構成されてもよい。上記の例示的な実施例に続いて、ビークルの位置情報は、ビークルがサプリメントストアの近傍にあることを示してもよい。
【００３７】
事業者情報決定コンポーネント１３０は、位置情報及び／又はＶ２Ｉ通信に基づいて、１つ又は複数の近隣の事業者の事業者情報を決定するように構成されてもよい。ビークルは、ビークルの位置情報を使用することにより、Ｖ２Ｉ通信を介して近隣の事業者と通信可能であってもよい。事業者には、食料品店、衣料品店、薬局、給油ステーション、及び、製品が販売される他の事業所が含まれてもよい。非限定的な例として、事業者情報には、製品又はサービスの在庫データ、広告、積極的販売促進、現在価格、及び、事業者が現在の顧客又は潜在的な顧客に伝達する他の製品情報又はサービス情報、が含まれてもよい。Ｖ２Ｉ通信を介した事業者からビークルへの事業者情報の通信には、提案されたシステムへの事業者の参加が必要な場合がある。このシステムでは、事業者は近隣のビークルと共有したい事業者情報を決定する。
【００３８】
プロファイル管理コンポーネント１３２は、１つもしくは複数の事業者プロファイル及び／又は１つもしくは複数の購入プロファイルを構築するように構成されてもよい。１つ又は複数の事業者プロファイルの構築には、対応する事業者の事業者情報の作成、追加、及び／又は、更新が含まれてもよい。１つ又は複数の購入プロファイルの構築には、対応するビークル乗員（即ち、現在又は将来のドライバ／乗員）の関心情報の作成、追加、及び／又は、更新が含まれてもよい。また、プロファイル管理コンポーネント１３２は、１つもしくは複数の事業者プロファイル、及び／又は、１つもしくは複数の購入プロファイルを電子記憶装置１４４内に保存するように構成されてもよい。
【００３９】
購入提案決定コンポーネント１３４は、１つ又は複数の事業者プロファイル、ビークル乗員の購入プロファイル及び位置情報に基づいて、ビークル乗員に対する購入提案を決定するように構成されてもよい。決定には、データ分析、アルゴリズム、及び／又は、他の決定計算のうちの１つ又は組み合わせが含まれてもよい。また、購入提案決定コンポーネント１３４は、ビークル乗員に対する購入提案をユーザインターフェース１２０に伝達するように構成されてもよい。非限定的な例として、購入提案には、近隣における製品の広告、購入のリマインダ、及び／又は、現在在庫が含まれてもよい。
【００４０】
上記の例に続いて、事業者プロファイルに保存された決定済み事業者情報に、ドライバがオンラインで購入しそうになったブランドを扱う近隣のサプリメントストアが含まれてもよい。また、サプリメントストアの事業者プロファイルは、粉末状プロテインを本日限り２０％引きで購入できることを示してもよい。購入提案を、近隣のサプリメントストアの事業者プロファイルとドライバの購入プロファイルとに基づいて決定して、ユーザインターフェース上に提示してもよい。購入提案は、近隣のサプリメントストアにドライバが希望するブランドの粉末状プロテインが在庫されていて、今日２０％引きで購入できる可能性があることを伝達してもよい。
【００４１】
別の例では、薬局の近隣にいるドライバを考慮する。関心情報コンポーネント１２６は、過去の処方薬の注文に基づいて、処方薬が補充の期限であると決定したものであってもよい。この決定は、ドライバのプロファイルの一部である関心情報として保存されたものであってもよい。さらに、既存の事業者プロファイルの分析を通じて、ドライバに通常処方される薬剤のブランドが薬局に在庫されていると決定されてもよい。購入提案決定コンポーネント１３４は、ドライバの薬局への近さ、薬局の事業者プロファイル、及び購入プロファイルからの処方履歴に基づいて、補充分を注文するための提案を決定してもよい。補充分を注文する提案は、その後、ドライバへの提示のためにユーザインターフェース１２０に伝達されてもよい。
【００４２】
店舗情報決定コンポーネント１３６は、店舗情報を決定するように構成されてもよい。店舗情報には、各事業者によって視覚的に表示される情報が含まれる。非限定的な例として、店舗情報には、商号、営業時間、販売促進、及び／又は、受領可能な支払いフォーム（商号、営業時間、販売促進、又は、受領可能な支払いフォームのうち１つ、いずれかの組み合わせ、又は全部）が含まれてもよい。店舗情報決定コンポーネント１３６は、ビークル外の店舗の、取得された画像及び／又は動画を含む、撮像センサ（１又は複数）１１８Ｂからの画像情報を受信してもよい。その後、画像情報は、外部資源１４２の光学文字認識ソース又はその類似に通信されて、１つ又は複数の事業者に関する店舗情報を決定してもよい。例示的な実施例では、衣料品事業者の店舗情報に、営業時間が午前９時から午後７時であり、定休日が月曜日であり、全クレジットカードフォーム、現金は受け入れ可能であるが、非接触型支払いは受け入れ不可である、ということが含まれてもよい。別の例示的な実施例では、ガソリンスタンドの店舗情報に、各タイプの燃料の価格と、洗車を購入した場合に燃料に割引があることと、が含まれてもよい。
【００４３】
さらに、プロファイル管理コンポーネント１３２は、１つ又は複数の事業者の事業者プロファイルの店舗情報の追加及び／又は更新（追加と更新の一方又は両方）を行うように構成されてもよい。
【００４４】
いくつかの実施形態では、購入提案コンポーネント１０２と外部資源１４２とは、１つ又は複数の電子通信リンクを介して動作可能に連結されてもよい。例えば、そのような電子通信リンクは、少なくとも部分的に、インターネット及び／又は他のネットワークのようなネットワークを介して確立されてもよい。これは限定することを意図するものではなく、本開示の範囲が、購入提案コンポーネント１０２と外部資源１４２とが他の何らかの通信媒体を介して動作可能に連結されてもよい実施形態を含む、ということが理解されよう。
【００４５】
外部資源１４２は、購入提案コンポーネント１０２外の情報源、購入提案コンポーネント１０２に関与する外部実体、及び／又は、他の資源を含んでもよい。いくつかの実施形態では、本開示にて外部資源１４２に帰属する機能の一部又は全部を、購入提案コンポーネント１０２に含まれる資源によって提供してもよい。
【００４６】
購入提案コンポーネント１０２は、電子記憶装置１４４、１つもしくは複数のプロセッサ１４６、及び／又は、他のコンポーネントを含んでもよい。購入提案コンポーネント１０２は、通信回線、又は、ネットワーク及び／もしくは他のコンピューティングプラットフォームとの情報交換を可能にするポートを含んでもよい。図２の購入提案コンポーネント１０２の図示は限定することを意図したものではない。購入提案コンポーネント１０２は、複数のハードウェアコンポーネント、ソフトウェアコンポーネント、及び／又はファームウェアコンポーネントを含んでもよく、これらは一緒に動作して、本開示では購入提案コンポーネント１０２に帰属する機能を提供する。例えば、購入提案コンポーネント１０２は、購入提案コンポーネント１０２として一緒に動作するコンピューティングプラットフォーム及び／又はサーバのクラウドによって実施されてもよい。
【００４７】
電子記憶装置１４４は、情報を電子的に記憶する非一時的な記憶媒体を備えてもよい。電子記憶装置１４４の電子記憶媒体は、購入提案コンポーネント１０２と一体的に（即ち、実質的に取り外し不可能に）設けられるシステム記憶装置と、例えば、ポート（例えば、ＵＳＢポート、ＦｉｒｅＷｉｒｅ（登録商標）ポートなど）又はドライブ（例えば、ディスクドライブなど）を介して購入提案コンポーネント１０２に取り外し可能に接続可能な取り外し可能記憶装置と、のうちの一方又は両方を含んでもよい。電子記憶装置１４４は、光学的に読み取り可能な記憶媒体（例えば、光ディスクなど）、磁気的に読み取り可能な記憶媒体（例えば、磁気テープ、磁気ハードドライブ、フロッピー（登録商標）ドライブなど）、電荷に基づく記憶媒体（例えば、ＥＥＰＲＯＭ、ＲＡＭなど）、固体記憶媒体（例えば、フラッシュドライブなど）、及び／又は、他の電子的に読み取り可能な記憶媒体、のうちの１又は複数を含んでもよい。電子記憶装置１４４は、１つ又は複数の仮想記憶資源（例えば、クラウド記憶装置、仮想プライベートネットワーク、及び／又は、他の仮想記憶資源）を含んでもよい。電子記憶装置１４４は、ソフトウェアアルゴリズム、プロセッサ（１又は複数）１４６によって決定された情報、購入提案コンポーネント１０２から受信した情報、及び／又は、購入提案コンポーネント１０２が本開示で説明するように機能するのを可能にする他の情報、を記憶してもよい。
【００４８】
プロセッサ（１又は複数）１４６は、購入提案コンポーネント１０２に情報処理機能を提供するように構成されてもよい。そのような点から、プロセッサ（１又は複数）１４６は、デジタルプロセッサ、アナログプロセッサ、情報を処理するように設計されたデジタル回路、情報を処理するように設計されたアナログ回路、ステートマシン、及び／又は、電子的に情報を処理する他の機構、のうちの１又は複数を含んでもよい。図２においてプロセッサ（１又は複数）１４６は単一の実体として示されているが、これは例示のみを目的とするものである。いくつかの実施形態では、プロセッサ（１又は複数）１４６は複数の処理ユニットを備えてもよい。このような処理ユニットは、同一装置内に物理的に配置されてもよく、あるいはプロセッサ（１又は複数）１４６は、協調して動作する複数の装置の処理機能を表してもよい。プロセッサ（１又は複数）１４６は、コンポーネント１２６、１２８、１３０、１３２、１３４及び／又は１３６、及び／又は、他のコンポーネント、を実行するように構成されてもよい。プロセッサ（１又は複数）１４６は、コンポーネント１２６、１２８、１３０、１３２、１３４及び／又は１３６、及び／又は、他のコンポーネント、を、ソフトウェア；ハードウェア；ファームウェア；ソフトウェア、ハードウェア及び／又はファームウェアのうちのいずれかの組み合わせ；及び／又は、プロセッサ（１又は複数）１４６の処理機能を構成する他の機構、によって実行するように構成されてもよい。本開示で使用する「コンポーネント」という用語は、コンポーネントに帰属する機能を実行する任意のコンポーネント又はコンポーネントのセットを指すことがある。これには、プロセッサで読み取り可能な命令を実行中の１つ又は複数の物理プロセッサ、プロセッサで読み取り可能な命令、回路、ハードウェア、記憶媒体、又は他の任意のコンポーネント、が含まれてもよい。
【００４９】
図２にはコンポーネント１２６、１２８、１３０、１３２、１３４及び／又は１３６が単一の処理ユニット内で実施されるものとして示されているが、プロセッサ（１又は複数）１４６が複数の処理ユニットを含む実施形態では、コンポーネント１２６、１２８、１３０、１３２、１３４及び／又は１３６のうちの１つ又は複数が他のコンポーネントから遠隔で実施されてもよい、ことを理解されたい。コンポーネント１２６、１２８、１３０、１３２、１３４及び／又は１３６のうちのいずれかが提供する機能が説明されているものよりも多くても少なくてもよいので、以下で説明する互いに異なるコンポーネント１２６、１２８、１３０、１３２、１３４及び／又は１３６によって提供される機能の説明は、例示を目的とするものであって、限定を意図するものではない。例えば、コンポーネント１２６、１２８、１３０、１３２、１３４及び／又は１３６のうちの１又は複数を省略してもよいし、その機能の一部又は全部を、コンポーネント１２６、１２８、１３０、１３２、１３４及び／又は１３６のうちの他のコンポーネントよって提供してもよい。別の例として、プロセッサ（１又は複数）１４６は、１つ又は複数の追加のコンポーネントであって、以下においてコンポーネント１２６、１２８、１３０、１３２、１３４及び／又は１３６のうちの１つに帰属する機能の一部又は全部を実行してもよい１つ又は複数の追加のコンポーネント、を実行するように構成されてもよい。
【００５０】
図３Ａは、１つ又は複数の実施形態による、１つもしくは複数の事業者プロファイル及び／又は１つもしくは複数の購入プロファイルを構築して保存する方法３００Ａを示す。以下に提示される方法３００Ａの動作は、例示を目的とするものである。いくつかの実施形態では、方法３００Ａは、説明されていない１つもしくは複数の追加動作と共に、及び／又は、考察された１つもしくは複数の動作なしで、達成されてもよい。さらに、図３Ａに示され以下に説明される方法３００Ａの動作の順序は、限定を意図するものではない。
【００５１】
いくつかの実施形態では、方法３００Ａは、１つ又は複数の処理装置（例えば、デジタルプロセッサ、アナログプロセッサ、情報を処理するように設計されたデジタル回路、情報を処理するように設計されたアナログ回路、ステートマシン、及び／又は、情報を電子的に処理する他の機構）にて実施されてもよい。１つ又は複数の処理装置は、電子記憶媒体に電子的に記憶された命令に応答して方法３００Ａの動作の一部又は全部を実行する１つ又は複数の装置を含んでもよい。１つ又は複数の処理装置は、方法３００Ａの１つ又は複数の動作の実行のために特に設計されるハードウェア、ファームウェア、及び／又は、ソフトウェアを介して構成される１つ又は複数の装置を含んでもよい。
【００５２】
方法３００Ａを実施する前に、購入提案をドライバ又は同乗者に提示するためのユーザインターフェースを初期化してもよい。例えば、インターフェースを初期化するために、ビークルの電子制御ユニット内に保存された実行可能な命令が実行されてもよい。上記のように、インターフェースは、ビークルのインフォテインメントシステム又は他の適切な提示システムを部分的に使用して提供されてもよい。
【００５３】
動作３０４Ａは、ビークルの位置を伝達する出力信号を生成することを含んでもよい。動作３０４Ａは、１つ又は複数の実施形態に従って、ＧＰＳセンサ（１又は複数）１１８Ａと同一又は類似のコンポーネントを含む機械可読命令によって構成された１つ又は複数のハードウェアプロセッサによって実行されてもよい。
【００５４】
動作３０６Ａは、ビークル乗員の関心情報を伝達する外部資源の出力信号を決定することを含んでもよい。動作３０６Ａは、１つ又は複数の実施形態に従って、関心情報決定コンポーネント１２６と同一もしくは類似のコンポーネントを含む機械可読命令によって構成された１つ又は複数のハードウェアプロセッサ、並びに／又は、通信回線、リンク及び／もしくはポートによって実行されてもよい。
【００５５】
動作３０８Ａは、出力信号に基づいてビークルの位置を決定することを含んでもよい。動作３０８Ａは、１つ又は複数の実施形態に従って、位置情報決定コンポーネント１２８と同一又は類似のコンポーネントを含む機械可読命令によって構成された１つ又は複数のハードウェアプロセッサによって実行されてもよい。
【００５６】
動作３１０Ａは、位置及び／又はＶ２Ｉ通信に基づいて、近隣の事業者の事業者情報を決定することを含んでもよい。動作３１０Ａは、１つ又は複数の実施形態に従って、事業者情報決定コンポーネント１３０と同一又は類似のコンポーネントを含む機械可読命令によって構成された１つ又は複数のハードウェアプロセッサによって実行されてもよい。
【００５７】
動作３１２Ａは、事業者プロファイルを構築することを含んでもよい。事業者プロファイルは事業者情報を含んでもよい。動作３１２Ａは、１つ又は複数の実施形態に従って、プロファイル管理コンポーネント１３２と同一又は類似のコンポーネントを含む機械可読命令によって構成された１つ又は複数のハードウェアプロセッサによって実行されてもよい。
【００５８】
動作３１４Ａは、購入プロファイルを構築することを含んでもよい。購入プロファイルは関心情報を含んでもよい。動作３１４Ａは、１つ又は複数の実施形態に従って、プロファイル管理コンポーネント１３２と同一又は類似のコンポーネントを含む機械可読命令によって構成された１つ又は複数のハードウェアプロセッサによって実行されてもよい。
【００５９】
動作３１６Ａは、事業者プロファイル及び／又は購入プロファイルを電子記憶装置内に保存することを含んでもよい。動作３１６Ａは、１つ又は複数の実施形態に従って、事業者プロファイル管理コンポーネント１３２と同一又は類似のコンポーネントを含む機械可読命令によって構成された１つ又は複数のハードウェアプロセッサによって実行されてもよい。
【００６０】
図３Ｂは、ビークル乗員への購入提案を生成する方法３００Ｂを示す。方法３００Ｂは、１つ又は複数の実施形態に従って、図３Ａの方法３００Ａに追従してもよい。以下に提示される方法３００Ｂの動作は、例示を目的とするものである。いくつかの実施形態では、方法３００Ｂは、説明されていない１つもしくは複数の追加動作とともに、及び／又は、考察された１つもしくは複数の動作なしで、達成されてもよい。さらに、図３Ｂに図示され以下に説明される方法３００Ｂの動作の順序は、限定を意図するものではない。
【００６１】
方法３００Ｂを実施する前に、購入提案をドライバ又は同乗者に提示するためのユーザインターフェースを初期化してもよい。例えば、ビークルの電子制御ユニット内に保存された実行可能な命令を実行して、インターフェースを初期化してもよい。上記のように、インターフェースは、ビークルの娯楽情報システム又は他の適切な提示システムを部分的に使用して提供されてもよい。
【００６２】
動作３０４Ｂは、ビークルの位置を伝達する出力信号を生成することを含んでもよい。動作３０４Ｂは、１つ又は複数の実施形態に従って、ＧＰＳセンサ１１８Ａと同一又は類似のコンポーネントを含む機械可読命令によって構成された１つ又は複数のハードウェアプロセッサによって実行されてもよい。
【００６３】
動作３０６Ｂは、事業者プロファイル、ビークル乗員の購入プロファイル、及び／又は、位置に基づいてビークル乗員に対する購入提案を決定することを含んでもよい。動作３０６Ｂは、１つ又は複数の実施形態に従って、購入提案決定コンポーネント１３４と同一又は類似のコンポーネントを含む機械可読命令によって構成された１つ又は複数のハードウェアプロセッサによって実行されてもよい。
【００６４】
動作３０８Ｂは、ユーザインターフェースを介したビークル乗員に対する購入提案の提示を含んでもよい。動作３０８Ｂは、１つ又は複数の実施形態に従って、購入提案決定コンポーネント１３４およびユーザインターフェース１２０と同一又は類似のコンポーネントを含む機械可読命令によって構成された１つ又は複数のハードウェアプロセッサによって実行されてもよい。
【００６５】
図４は、１つ又は複数の実施形態による例示的な実施例であって、ビークル４００のドライバが事業者の近隣を運転している実施例を示す。事業者の１つは、現在セール中の衣料品店である事業者４０２である。ドライバが事業者４０２にて頻繁に購入したという決定と、ビークルが事業者に近接した位置にあることとに基づいて、ドライバが開催中のセールに興味を持つ可能性があると決定される。ユーザインターフェース４０４上にリマインダが提示され、ユーザインターフェース４０４はメッセージ４０４ａを表示してもよい。
【００６６】
最も実用的かつ好ましい実施形態であると現在考えられる実施形態に基づいて、例示を目的として本技術を詳細に説明したが、そのような詳細はあくまでも例示を目的としたものであり、本技術は開示された実施形態に限定されず、それどころか、添付の特許請求の範囲の真意及び範囲内にある修正及び同等の構成を網羅することが意図されていることを理解されたい。例えば、本技術は、可能な限り、任意の実施形態の１つ又は複数の特徴を任意の他の実施形態の１つ又は複数の特徴と組み合わせ可能であることが企図されていることを理解されたい。
【００６７】
［例１］
購入提案を生成するように構成されたビークルのシステムであって、
前記ビークルの乗員に購入提案を提示するように構成されたユーザインターフェースと、
前記ビークルの位置を伝達する出力信号を生成するように構成されたＧＰＳセンサと、
１つ又は複数の事業者プロファイル及び購入プロファイルを保存するように構成された電子記憶装置と、
プロセッサであって、機械可読命令により、
少なくとも外部資源の受信した出力信号を使用して、前記乗員の関心情報を決定することであって、前記関心情報は、前記乗員が購入に関心を持つ可能性のある製品の種類、サービスの種類、製品、又はサービスを識別するものである、前記関心情報を決定することと、
少なくとも前記出力信号を使用して、前記ビークルの位置を決定することと、
少なくとも前記ビークルの位置及びビークルインフラ間（Ｖ２Ｉ）通信を使用して、近隣の事業者の事業者情報を決定することと、
前記事業者情報を含む事業者プロファイルを構築することと、
前記関心情報を含む購入プロファイルを構築することと、
少なくとも前記事業者プロファイル、前記購入プロファイル、及び前記位置を使用して、前記乗員に対する購入提案を決定することと、
前記ユーザインターフェースを介して、前記購入提案を前記乗員に提示することと、
を実行するように構成されたプロセッサと、
を備えるシステム。
［例２］
前記システムは、前記事業者に関する画像情報を伝達する出力信号を生成するように構成された撮像センサをさらに備え、前記撮像センサは、画像情報を伝達する前記出力信号をクラウドサーバに送信し、前記クラウドサーバは、前記事業者に関する店舗情報を決定するように構成される、例１に記載のシステム。
［例３］
前記プロセッサは前記店舗情報を決定するようにさらに構成される、例２に記載のシステム。
［例４］
前記プロセッサは、前記ユーザインターフェースを介して、前記事業者の前記店舗情報を前記乗員に提示するようにさらに構成される、例２に記載のシステム。
［例５］
前記プロセッサは、前記事業者プロファイルの前記店舗情報の追加と更新とのうちの一方又は両方を実施するようにさらに構成される、例２に記載のシステム。
［例６］
前記位置の情報は前記ビークルのＧＰＳ座標を含む、例１に記載のシステム。
［例７］
前記事業者情報は、商品の在庫データ、広告、積極的販売促進、及び現在価格のうちの少なくとも１つを含む、例１に記載のシステム。
［例８］
前記関心情報は、前記乗員の購入嗜好、購入履歴、又は所望の購入を含む、例１に記載のシステム。
［例９］
前記購入提案は、近隣の事業者における商品の広告、購入のリマインダ、又は現在在庫を含む、例１に記載のシステム。
［例１０］
前記店舗情報は、事業者名、営業時間、販売促進、及び／又は、受領可能な支払いフォームを含む、例２に記載のシステム。
［例１１］
購入提案を生成する方法であって、
ビークルの位置を伝達する出力信号を生成することと、
前記ビークルの乗員の関心情報を伝達する外部資源の出力信号を受信することであって、前記関心情報は、前記乗員が購入に関心を持つ可能性のある製品の種類、サービスの種類、製品、又はサービスを識別するものである、前記関心情報を決定することと、
少なくとも、生成された前記出力信号を使用して、前記ビークルの位置を決定することと、
少なくとも、決定された前記ビークルの位置及びビークルインフラ間（Ｖ２Ｉ）通信を使用して、近隣の事業者の事業者情報を決定することと、
前記事業者情報を含む事業者プロファイルを構築することと、
前記関心情報を含む購入プロファイルを構築することと、
前記事業者プロファイル及び前記購入プロファイルを電子記憶装置内に保存することと、
少なくとも、保存された前記事業者プロファイル、保存された前記購入プロファイル、及び決定された前記位置を使用して、前記乗員に対する購入提案を決定することと、
ユーザインターフェースを介して前記乗員に前記購入提案を提示することと、
を含む方法。
［例１２］
前記事業者に関する画像情報を伝達する出力信号を生成することをさらに含み、前記画像情報は、クラウドサーバに送信され、前記クラウドサーバは、前記事業者に関する店舗情報を決定する、例１１に記載の方法。
［例１３］
前記店舗情報を決定することをさらに含む、例１２に記載の方法。
［例１４］
前記ユーザインターフェースを介して、前記事業者の前記店舗情報を前記乗員に提示することをさらに含む、例１２に記載の方法。
［例１５］
前記事業者プロファイルの前記店舗情報の追加と更新とのうちの一方又は両方を実施することをさらに含む、例１２に記載の方法。
［例１６］
前記位置は前記ビークルのＧＰＳ座標を含む、例１１に記載の方法。
［例１７］
前記事業者情報は、商品の在庫データ、広告、積極的販売促進、及び現在価格を含む、例１１に記載の方法。
［例１８］
前記関心情報は、前記乗員の購入嗜好、購入履歴、又は所望の購入を含む、例１１に記載の方法。
［例１９］
前記購入提案は、近隣の事業者における商品の広告、購入のリマインダ、又は現在在庫を含む、例１１に記載の方法。
［例２０］
前記店舗情報は、事業者名、営業時間、販売促進、又は受領可能な支払いフォームを含む、例１１に記載の方法。
【図１】
2020115324.tif 000003
【図２】
2020115324.tif 000004
【図３Ａ】
2020115324.tif 000005
【図３Ｂ】
2020115324.tif 000006
【図４】
2020115324.tif 000007
【外国語明細書】
2020115324000001.pdf